(57)【要約】【課題】集中監視センターに集中する、ガス供給運用に関わる膨大なデータの中から、人命に関わる緊急情報を確実に検出し出動対応することが可能なガス需要統合管理システムを提供すること。【解決手段】エリア１０ａ〜１０ｈ毎の登録顧客の個別のガス需要データを収集し、かつ登録顧客全てとの定期的な疎通確認および特定の機能を実行判断して、必要な出動を行うガス需要集中監視センター１１と、ガス需要集中監視センター１１のデータを収集するガス需要統合管理センター１２からなり、するガス需要集中監視センター１１は、特定の電文情報のみを優先的に処理する特定機能処理部１３とを備えた。【選択図】図１
2011114629.tif 000002
【特許請求の範囲】
【請求項１】
対象となる地域を複数のエリアに分割し、前記エリア毎の登録顧客の個別のガス需要データを収集し、かつ登録顧客全てとの定期的な疎通確認および特定の機能を実行判断して、必要な出動を行う複数のガス需要集中監視センターと、前記複数のガス需要集中監視センターのデータを収集し、かつ前記ガス需要集中監視センターとは異なる機能を実行するガス需要統合管理センターとからなり、前記ガス需要集中監視センターは、パケット網を利用した通信で使用する共通の通信電文のパケット構成として、顧客のアラーム情報、緊急度等の特定情報を有し、前記特定の電文情報のみを前記ガス需要集中監視センターでリアルタイムに判別して、前記特定の機能を処理する特定機能処理部を有するガス需要統合管理システム。
【発明の詳細な説明】
【技術分野】
【０００１】
本発明は、ガス需要家とガス事業者間の集中検針・集中監視のための運用システムに関するものである。
【背景技術】
【０００２】
従来、この種の集中監視センターはシステム運用において、１箇所のセンター内にあって必要であれば、通信電文を異種に分けるとか若しくは連絡先を分けるとかで、機能別の運用を対応していた（例えば、特許文献１参照）。
【０００３】
図３は、特許文献１に記載された従来の集中監視センターの構成例を示すものである。図３に示すように、集中監視センター１と、通信基地局２と、ガス制御装置３〜７（端末）から構成されている。
【先行技術文献】
【特許文献】
【０００４】
【特許文献１】特開２００８−１０２８１１号公報
【発明の概要】
【発明が解決しようとする課題】
【０００５】
しかしながら、前記従来の構成では、通信インフラとして、普及が進む高速パケット網の利用の環境下にあっては、センター側のオンデマンド要求や疎通確認に対して即時応答するため、送信先のセンターを接続先固定の状態で運用せざるを得ず、この場合特定のセンター以外への接続先を勝手に切り替える事もできない。
【０００６】
また、今後、集中監視の普及が進み一つの国全体に及ぶと、日常の検針業務のデータの中で全てはリアルタイムに情報処理ができなくなるので、緊急のアラーム情報通信が検針データの中に埋もれて、人命に危害が及び恐れが生じるという課題を有していた。また、膨大なデータの中で全ての顧客との通信の疎通が取りこぼしなく担保されていることの定期確認も必要で、センター業務をうまく機能分担して分散処理し、リアルタイム処理が求められるものとバッチ処理できるものとに情報を確実に自動識別処理し、緊急出動まで繋げる必要性が今後高まる課題を有していた。
【０００７】
本発明は、前記従来の課題を解決するもので、ガス供給運用に関わる膨大なデータの中で人命に関わる緊急情報を確実に検出し出動対応するガス集中監視の運用システムを提供することを目的とする。
【課題を解決するための手段】
【０００８】
前記従来の課題を解決するために、本発明のガス需要統合管理システムは、対象となる地域を複数のエリアに分割し、前記エリア毎の登録顧客の個別のガス需要データを収集し、かつ登録顧客全てとの定期的な疎通確認および特定の機能を実行判断して、必要な出動を行う複数のガス需要集中監視センターと、前記複数のガス需要集中監視センターのデータを収集し、かつ前記ガス需要集中監視センターとは異なる機能を実行するガス需要統合管理センターとからなり、前記ガス需要集中監視センターは、パケット網を利用した通信で使用する共通の通信電文のパケット構成として、顧客のアラーム情報、緊急度等の特定情報を有し、前記特定の電文情報のみを前記ガス需要集中監視センターでリアルタイムに判別して、前記特定の機能を処理する特定機能処理部を有するものである。
【０００９】
これによって、特定のパケット網を利用し、膨大な顧客数のデータを通信する中にあっても、緊急性を要するアラーム情報は、エリア内の集中監視センターでリアルタイム処理し、一方バッチ処理できるガス消費量管理は、中央の統合管理センターにて行うことで、うまくシステム内の負荷分散ができ、個別エリア毎のガス需要集中監視センターは、定期的な疎通確認と通信データの中の特定の情報のみを処理する事で応答性処理速度が上げられ、通信データの残りの処理は、後からガス需要統合管理センターで集計すればよいのでセンターの機能を特定処理に特化することもでき、システム運用も効率的になり、人命に関わる緊急情報を識別し確実に出動対応することができるようになる。
【発明の効果】
【００１０】
本発明のガス需要統合管理システムは、ガス供給運用に関わる膨大な通信データの中で人命に関わる緊急情報を確実に検出し出動対応することができる。
【図面の簡単な説明】
【００１１】
【図１】本発明の実施の形態１におけるガス需要統合管理システムのエリア図
【図２】本発明の実施の形態１における機能のブロック図
【図３】従来の集中監視センターのエリア図
【発明を実施するための形態】
【００１２】
第１の発明は、対象となる地域を複数のエリアに分割し、前記エリア毎の登録顧客の個別のガス需要データを収集し、かつ登録顧客全てとの定期的な疎通確認および特定の機能を実行判断して、必要な出動を行う複数のガス需要集中監視センターと、前記複数のガス需要集中監視センターのデータを収集し、かつ前記ガス需要集中監視センターとは異なる機能を実行するガス需要統合管理センターとからなり、前記ガス需要集中監視センターは、パケット網を利用した通信で使用する共通の通信電文のパケット構成として、顧客のアラーム情報、緊急度等の特定情報を有し、前記特定の電文情報のみを前記ガス需要集中監視センターでリアルタイムに判別して、前記特定の機能を処理する特定機能処理部を有することにより、膨大なデータの中で人命に関わる緊急情報を確実に検出し出動対応することができる。
【００１３】
以下、本発明の実施の形態について、図面を参照しながら説明する。なお、本実施の形態によって本発明が限定されるものではない。
【００１４】
（実施の形態１）
図１は、本発明の実施の形態におけるガス需要統合管理システムの構成概念のエリア図を示すものである。
【００１５】
図１において、対象とする地域は日本全体１０であり、地方毎に分割し、８つのエリア１０ａ〜１０ｈに区分している。そして、このエリア１０ａ〜１０ｈのそれぞれの顧客をカバーする複数のガス需要集中監視センター１１が収集したデータは、中央のガス需要統合管理センター１２へ全て集約される構成になっている。なお、ガス需要統合管理センター１２は、ガス需要集中監視センターとしての機能も有している。
【００１６】
また、図２は、本発明の実施の形態におけるガス需要統合管理システムの機能ブロック図を示すものである。
【００１７】
図２において、ガス需要集中監視センター１１の内部に、特定の機能を実行判断して、必要な出動を行う特定機能処理部１３を内蔵しており、ガス需要集中監視センター１１のデータを収集しガス消費量管理を行うガス需要統合管理センター１２と連携しながら、それぞれ異なる機能を分担している。
【００１８】
以上のように構成されたガス需要統合管理システムについて、以下その動作、作用を説明する。
【００１９】
まず、エリア１０ａ〜１０ｈ毎に設置されたガス需要集中監視センター１１は、契約している全ての需要家に対して直接若しくはコンセントレータを介して、特定の通信キャリアの高速パケット網を利用してガス消費量の検針や通信の疎通確認を定期的に行い、データギャザリングを行っている。この時使用する通信電文は、後の集計を平易にするために全国的な運用を前提に標準化された仕様であり、ガス消費量データだけでなく需要家へのガス供給に関わるアラーム情報や何ならかの対応が必要な場合の緊急度等の情報データも合わせて有する電文構成となっている。需要家から各々のガス需要集中監視センター１１へ届いた通信データは即時、ガス需要集中監視センター１１にある特定機能処理部１３が通信電文中の特定部位、例えば、アラーム情報や緊急度等のみのデータを読み出して確認判断し、必要な処置すなわち需要家宅への緊急出動等を発信する。
【００２０】
上記のとおり、ガス需要集中監視センター１１は、このようなリアルタイム性の必要な機能と、それを担保する定期的な疎通確認、およびデータギャザリングだけに特化した役割分担となっている。
【００２１】
一方、各々のガス需要集中監視センター１１の収集データを更にデータ収集し統合するガス需要統合管理センター１２は、全てのガス消費量のデータ管理と集計に機能を特化することができ、その処理対応にリアルタイム性を求められなくとも膨大なデータを順次処理していく事が可能となる。このようにセンター間の機能分担を適切に図れば、特定のセンターの応答処理速度が上げられ、またシステム全体の運用もより効率的にすることもできる。
【００２２】
また、各々のガス需要集中監視センター１１から中央のガス需要統合管理センター１２へのデータ集約にあって、緊急度の高い処理をガス需要集中監視センター１１で完了しておけば、センター間の通信データは圧縮ファイルを利用し、バッチ的な処理で効率を上げることも可能となる。
【００２３】
以上のように、本実施の形態においては、ガス需要集中監視センター１１で特定の通信電文情報のみをリアルタイムに判別して、特定の機能を処理するプロトコルを有することにより、膨大なデータの中で人命に関わる緊急情報を確実に検出し、人命に関わる緊急情報から確実に出動対応することができる。
【産業上の利用可能性】
【００２４】
以上のように、本発明にかかるガス需要統合管理システムは、ガス供給運用に関わる膨大な通信データの中で人命に関わる緊急情報を確実に検出し出動対応することができるもので、ガスに限らず、電気、水道の管理システム等の用途にも適用できる。
【符号の説明】
【００２５】
１０ａ〜１０ｈ  エリア
１１  ガス需要集中監視センター
１２  ガス需要統合管理センター
１３  特定機能処理部
【図１】
2011114629.tif 000003
【図２】
2011114629.tif 000004
【図３】
2011114629.tif 000005